(57)【要約】【課題】  相対的に波長帯域が狭い光が他の撮影などに影響を及ぼすことを抑えつつその光を有効に使用することができる撮影装置を提供する。【解決手段】  被写体コントラストの検知にあたり、外部ＡＦ部により測定された被写体距離が所定距離よりも近距離であると判定した場合には第１の補助光発光体であるＬＥＤを発光させ所定距離よりも遠距離の場合に第２の補助光発光体であるＬＤを発光させる。所定距離よりも近距離の被写体を一斉に撮影する場合などにおいて有色のレーザ光が他の撮影に影響を及ぼすことを抑えつつ、遠景を撮影する場合などにおいてはそのレーザ光をＡＦ補助光として有効に使用する。【選択図】図４
2006171120.tif 000002
【特許請求の範囲】
【請求項１】
撮影操作に先立って被写体コントラストを検知してピント調整を行なう撮影装置において、
被写体コントラスト検出用に被写体に向けて相対的に波長帯域の広い光を照射する第１の補助光発光体と、
被写体コントラスト検出用に被写体に向けて相対的に波長帯域の狭い光を照射する第２の補助光発光体と、
前記第１の補助光発光体と前記第２の補助光発光体を切り替える切替手段とを備えたことを特徴とする撮影装置。
【請求項２】
ピント調整用の光学部材を含む撮影光学系により撮像素子上に被写体像を結像し、撮影に先立って調整用の画像信号を繰り返し生成し該調整用の画像信号に基づいて被写体コントラストを検知してピント調整を行なうとともに、撮影操作に応じて記録用の画像信号を生成して記録する撮影装置において、
前記撮像素子とは別体の測距センサを有し該測距センサを用いて被写体までの距離を測定する外部ＡＦ部と、
被写体コントラスト検出用に被写体に向けて相対的に波長帯域の広い光を照射する第１の補助光発光体と、
被写体コントラスト検出用に被写体に向けて相対的に波長帯域の狭い光を照射する第２の補助光発光体と、
被写体コントラストの検知にあたり、前記外部ＡＦ部により測定された被写体距離に応じて、所定距離よりも近距離の場合に前記第１の補助光発光体を発光させ該所定距離よりも遠距離の場合に前記第２の補助光発光体を発光させる発光制御部とを備えたことを特徴とする撮影装置。
【請求項３】
ピント調整用の光学部材を含む撮影光学系により撮像素子上に被写体像を結像し、撮影に先立って調整用の画像信号を繰り返し生成し該調整用の画像信号に基づいて被写体コントラストを検知してピント調整を行なうとともに、撮影操作に応じて記録用の画像信号を生成して記録する撮影装置において、
被写界輝度を測定する測光部と、
被写体コントラスト検出用に被写体に向けて相対的に波長帯域の広い光を照射する第１の補助光発光体と、
被写体コントラスト検出用に被写体に向けて相対的に波長帯域の狭い光を照射する第２の補助光発光体と、
被写体コントラストの検知にあたり、前記測光部により測定された被写体輝度に応じて、所定輝度よりも高輝度の場合に前記第１の補助光発光体を発光させ該所定輝度よりも低輝度の場合に前記第２の補助光発光体を発光させる発光制御部とを備えたことを特徴とする撮影装置。
【請求項４】
ピント調整用の光学部材を含む撮影光学系により撮像素子上に被写体像を結像し、撮影に先立って調整用の画像信号を繰り返し生成し該調整用の画像信号に基づいて被写体コントラストを検知してピント調整を行なうとともに、撮影操作に応じて記録用の画像信号を生成して記録する撮影装置において、
被写体コントラスト検出用に被写体に向けて相対的に波長帯域の広い光を照射する第１の補助光発光体と、
被写体コントラスト検出用に被写体に向けて相対的に波長帯域の狭い光を照射する第２の補助光発光体と、
前記第１の補助光発光体による照射と前記第２の補助光発光体による照射とを切り替えるためのユーザ操作子と、
被写体コントラストの検知にあたり、前記ユーザ操作による切替え状態に応じて、前記第１の補助光発光体あるいは前記第２の補助光発光体を発光させる発光制御部とを備えたことを特徴とする撮影装置。
【請求項５】
ピント調整用の光学部材を含む撮影光学系により撮像素子上に被写体像を結像し、撮影に先立って調整用の画像信号を繰り返し生成し該調整用の画像信号に基づいて被写体コントラストを検知してピント調整を行なうとともに、撮影操作に応じて記録用の画像信号を生成して記録する撮影装置において、
被写体コントラスト検出用に被写体に向けて相対的に波長帯域の広い光を照射する第１の補助光発光体と、
被写体コントラスト検出用に被写体に向けて相対的に波長帯域の狭い光を照射する第２の補助光発光体と、
前記調整用の画像信号生成のための一回あたりのシャッタ時間が相対的に長い通常ＡＦモードと該シャッタ時間が相対的に短い高速ＡＦモードとを切り替えるためのユーザ操作子と、
被写体コントラストの検知にあたり、前記ユーザ操作子による切替状態に応じて前記通常ＡＦモードに切り替えられている場合に前記第１の補助光発光体を発光させ、前記高速ＡＦモードに切り替えられている場合に前記第２の補助光発光体を発光させる発光制御部とを備えたことを特徴とする撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
近年においては、自動的にピント調整を行なう、いわゆるオートフォーカス（以降ＡＦという）機能を備えた撮影装置が多い。そのＡＦ機能を備えた撮影装置の中には、撮影レンズを通してピント調整を行なう、いわゆるＴＴＬ（Ｔｈｒｕ  Ｔｈｅ  Ｌｅｎｓ）測距を行なうものもある。ＴＴＬ測距においては、ピント調整用の光学部材を含む撮影光学系により撮像素子上に被写体像を結像し、撮影に先立って調整用の画像信号を生成して調整用の画像信号に基づいてピント調整が行なわれる。
【０００３】
このＴＴＬ測距を行なう場合には、被写体の輝度が暗いと被写体と背景との間のコントラストをうまく検出することができずに正確な測距が行なえないので、被写体輝度が暗い場合にはＡＦ補助光を被写体に向けて発光して被写体コントラストを得て精度の良い測距を行なうようにしているものもある（例えば特許文献１参照）。この場合、低電力で駆動することができるＬＥＤがよく用いられている。このＬＥＤは有色の物が多いが白色にすることも可能である。しかしＬＥＤは発光量が少なく、また照射パターンが拡がりを持つものであることが多いため、あまり遠くの被写体にまで補助光を到達させることができないという問題もある。
【０００４】
そこで相対的に波長帯域が狭いため有色光になってしまうが、被写体が遠距離にあっても光を到達させることができる、ホログラムを用いて所定のパターンを投影することが可能なレーザ光を用いた補助光が考えられている（例えば特許文献２参照）。
【０００５】
しかしながら、所定パターンのレーザ光をＡＦ補助光として固定的に用いるようにしてしまうと、皆が一斉に近距離の被写体の撮影を行なう場合などにおいてはその所定パターンのレーザ光が他の撮影者が撮影を行なおうとしている画角内にＡＦ補助光として照射されてしまって他の撮影者が撮影した写真にくっきりとレーザのパターンが写ってしまうことがある。
【特許文献１】特開２００２−１３９６６４号公報
【特許文献２】特開２００２−２３７９９０号公報
【発明の開示】
【発明が解決しようとする課題】
【０００６】
本発明は、上記事情に鑑み、相対的に波長帯域が狭い光が他の撮影などに影響を及ぼすことを抑えつつその光を有効に使用することができる撮影装置を提供することを目的とする。
【課題を解決するための手段】
【０００７】
上記目的を達成する本発明の第１の撮影装置は、ピント調整用の光学部材を含む撮影光学系により撮像素子上に被写体像を結像し、撮影に先立って調整用の画像信号を繰り返し生成しその調整用の画像信号に基づいて被写体コントラストを検知してピント調整を行なうとともに、撮影操作に応じて記録用の画像信号を生成して記録する撮影装置において、
上記撮像素子とは別体の測距センサを有しその測距センサを用いて被写体までの距離を測定する外部ＡＦ部と、
被写体コントラスト検出用に被写体に向けて相対的に波長帯域の広い光を照射する第１の補助光発光体と、
被写体コントラスト検出用に被写体に向けて相対的に波長帯域の狭い光を照射する第２の補助光発光体と、
被写体コントラストの検知にあたり、上記外部ＡＦ部により測定された被写体距離に応じて所定距離よりも近距離の場合に上記第１の補助光発光体を発光させその所定距離よりも遠距離の場合に上記第２の補助光を発光させる発光制御部とを備えたことを特徴とする。
【０００８】
上記第１の撮影装置によれば、皆が一斉に近距離の被写体の撮影を行なうような場合には上記第１の補助光発光体から補助光が発光される。その第１の補助光発光体から発光される補助光は、相対的に波長帯域の広い光であってほぼ白色光となるので、他の人が撮影を行なうようなところで上記第１の発光体からＡＦ補助光が照射されたとしても他の撮影者の撮影に影響を及ぼすことがない。上記第１の発光体のように相対的に波長帯域の広い光を発光するものとして白色ＬＥＤや白色ランプなどが代表的である。
【０００９】
また、被写体が所定距離よりも遠距離側にある場合、例えば遠景等を撮影する場合には、他の撮影者の画角と自分の撮影画角とが重複する可能性が極端に少ないとして相対的に波長帯域の狭い光で有色のものであっても遠くの被写体にまで達するＡＦ補助光が第２の補助光発光体から被写体に向けて照射される。このような第２の補助光発光体としてはレーザダイオードなどがある。
【００１０】
このようにしておくと、撮影シーンに応じて上記第１の補助光発光体から発光される光と上記第２の補助光発光体から発光される光との双方が有効に活用される。
【００１１】
以上説明したように相対的に波長帯域が狭い光が他の撮影などに影響を及ぼすことを抑えつつその光を有効に使用することができる撮影装置が実現される。
【００１２】
上記目的を達成する本発明の第２の撮影装置は、ピント調整用の光学部材を含む撮影光学系により撮像素子上に被写体像を結像し、撮影に先立って調整用の画像信号を繰り返し生成しその調整用の画像信号に基づいて被写体コントラストを検知してピント調整を行なうとともに、撮影操作に応じて記録用の画像信号を生成して記録する撮影装置において、
被写界輝度を検出する測光部と、
被写体コントラスト検出用に被写体に向けて相対的に波長帯域の広い光を照射する第１の補助光発光体と、
被写体コントラスト検出用に被写体に向けて相対的に波長帯域の狭い光を照射する第２の補助光発光体と、
被写体コントラストの検知にあたり、上記測光部により測定された被写体輝度に応じて、所定輝度よりも高輝度の場合に上記第１の補助光発光体を発光させその所定輝度よりも低輝度の場合に上記第２の補助光発光体を発光させる発光制御部とを備えたことを特徴とする。
【００１３】
上記本発明の第２の撮影装置によれば、上記測光部により測定された被写体輝度が所定輝度よりも高輝度の場合には、上記発光制御部により上記第１の補助光発光体例えば相対的に発光電力の小さいＬＥＤからＡＦ補助光が被写体に向けて照射される。
【００１４】
被写体輝度が上記所定輝度よりも高輝度の場合としては昼間比較的明るい室内で撮影を行なう撮影シーン等が考えられる。このような撮影シーンにおいては皆が一斉に記念撮影を行なうようなこともあるので、上記第１の補助光発光体例えばＬＥＤからＡＦ補助光が被写体に向けて照射され撮影が行なわれる。そうすると皆が一斉に記念撮影を行なっているときにこの第２の撮影装置で撮影を行なったとしても他の人の撮影に影響を及ぼすことがない。
【００１５】
また上記第１の補助光発光体では光量が足りないと思われる状況のときには上記第１の補助光発光体で発光を行なってもピント調整が行なえない。そこで、例えば上記所定輝度よりも低輝度の場合の一つである夜景を撮影する場合には上記第１の発光体よりも距離による光量の減衰が少ない第２の補助光発光体に切り替えてＡＦ補助光の照射を行なうようにしておくと、被写体輝度が暗くても精度の高いピント調整が行なえる。
【００１６】
このようにしても相対的に波長帯域が狭い光が他の撮影などに影響を及ぼすことを抑えつつその光を有効に使用することができる撮影装置が実現される。
【００１７】
上記目的を達成する本発明の第３の撮影装置は、ピント調整用の光学部材を含む撮影光学系により撮像素子上に被写体像を結像し、撮影に先立って調整用の画像信号を繰り返し生成しその調整用の画像信号に基づいて被写体コントラストを検知してピント調整を行なうとともに、撮影操作に応じて記録用の画像信号を生成して記録する撮影装置において、
被写体コントラスト検出用に被写体に向けて相対的に波長帯域の広い光を照射する第１の補助光発光体と、
被写体コントラスト検出用に被写体に向けて相対的に波長帯域の狭い光を照射する第２の補助光発光体と、
上記第１の補助光発光体による照射と上記第２の補助光発光体による照射とを切り替えるためのユーザ操作子と、
被写体コントラストの検知にあたり、上記ユーザ操作による切替の状態に応じて、上記第１の補助光発光体あるいは上記第２の補助光発光体を発光させる発光制御部とを備えたことを特徴とする。
【００１８】
上記本発明の第３の撮影装置によれば、上記発光制御部が、上記ユーザ操作子による切替の状態に応じて上記第１の補助光発光体あるいは上記第２の補助光発光体を発光させるので、ユーザは撮影シーンに応じてそれらを選択的に自在に切り替えてから撮影を行なうことができる。もしも他の撮影者が記念撮影などを行なっていて上記第２の補助光発光体である例えばレーザダイオードから発光されるレーザ光を使用すると他の撮影者の画角内にレーザ光が入り込みそうな場合には、ユーザは上記第１の補助光発光体である例えばＬＥＤを選択してそのＬＥＤにＬＥＤ光の発光を行なわせることができるため、他の撮影者の撮影に影響を及ぼすことがない。
【００１９】
このようにしても、相対的に波長帯域が狭い光が他の撮影などに影響を及ぼすことを抑えつつその光を有効に使用することができる撮影装置が実現される。
【００２０】
上記目的を達成する第４の撮影装置は、ピント調整用の光学部材を含む撮影光学系により撮像素子上に被写体像を結像し、撮影に先立って調整用の画像信号を繰り返し生成し該調整用の画像信号に基づいて被写体コントラストを検知してピント調整を行なうとともに、撮影操作に応じて記録用の画像信号を生成して記録する撮影装置において、
被写体コントラスト検出用に被写体に向けて相対的に波長帯域の広い光を照射する第１の補助光発光体と、
被写体コントラスト検出用に被写体に向けて相対的に波長帯域の狭い光を照射する第２の補助光発光体と、
前記調整用の画像信号生成のための一回あたりのシャッタ時間が相対的に長い通常ＡＦモードとそのシャッタ時間が相対的に短い高速ＡＦモードとを切り替えるためのユーザ操作子と、
被写体コントラストの検知にあたり、上記ユーザ操作子による切替状態に応じて上記通常ＡＦモードに切り替えられている場合に上記第１の補助光発光体を発光させ、上記高速ＡＦモードに切り替えられている場合に上記第２の補助光発光体を発光させる発光制御部とを備えたことを特徴とする。
【００２１】
上記第４の撮影装置によれば、上記通常モードと上記高速ＡＦモードとが上記ユーザ操作子により上記通常モード側に切り替えられた場合には、上記第１の補助光発光体から波長帯域の広いほぼ白色の光がＡＦ補助光として被写体に向けて照射され、上記高速ＡＦモードに切り替えられた場合には、上記第２の補助光発光体例えばレーザダイオードから有色光ではあるが遠くまで到達するレーザ光がＡＦ補助光として被写体に向けて照射される。
【００２２】
このように通常モードと高速モードとの切替がユーザ操作子により自在に行なえるようになっていると、もしも他の撮影者が記念撮影などを行なっていて有色のレーザ光を使用すると他の撮影者の画角内にその有色のレーザ光が入り込みそうな場合には、ユーザは上記通常モードの方を選択してから撮影を行なうことができる。
【００２３】
上記通常モードと上記高速ＡＦモードの違いは、ＡＦ時の上記撮像素子例えばＣＣＤの電荷蓄積時間の違いであり、上記高速ＡＦモードではその電荷蓄積時間を上記通常モードに比べて短くする。このときにはその電荷蓄積時間を短くした分、上記ＣＣＤが受光する光量が減るため、上記第１の発光体例えばＬＥＤではなく、上記第２の発光体例えばレーザダイオードを選択する。
【００２４】
このようにしても相対的に波長帯域が狭い光が他の撮影などに影響を及ぼすことを抑えつつその光を有効に使用することができる撮影装置が実現される。
【００２５】
以上の第１〜第４の撮影装置をまとめて表現すると以下の通りとなる。
【００２６】
すなわち、撮影操作に先立って被写体コントラストを検知してピント調整を行なう撮影装置において、
被写体コントラスト検出用に被写体に向けて相対的に波長帯域の広い光を照射する第１の補助光発光体と、
被写体コントラスト検出用に被写体に向けて相対的に波長帯域の狭い光を照射する第２の補助光発光体と、
上記第１の補助光発光体と上記第２の補助光発光体を切り替える切替手段とを備えたことを特徴とする。
【発明の効果】
【００２７】
以上、説明したように、相対的に波長帯域が狭い光が他の撮影などに影響を及ぼすことを抑えつつその光を有効に使用することができる撮影装置が実現される。
【発明を実施するための最良の形態】
【００２８】
以下、本発明の実施の形態について説明する。
【００２９】
図１は、本発明の撮影装置の一実施形態であるデジタルカメラを示す図である。
【００３０】
図１に本発明の一実施形態であるデジタルカメラの構成斜視図である。
【００３１】
図１に示すデジタルカメラ１００は、ピント調整用の光学部材例えばフォーカスレンズを含む撮影光学系により撮像素子上に被写体像を結像し、撮影に先立って調整用の画像信号を繰り返し生成しその調整用の画像信号に基づいて被写体コントラストを検知してピント調整を行なう（以降ＴＴＬ測距という）とともに、撮影操作に応じて記録用の画像信号を生成して記録するものである。
【００３２】
図１に示すように、本実施形態のデジタルカメラ１００のカメラボディ中央にはレンズ鏡胴が配備されている。そのレンズ鏡胴１７０に上記フォーカスレンズを含む撮影光学系が内蔵されており、その撮影光学系を通してデジタルカメラ１００内部に配備されているＣＣＤ固体撮像素子（以降ＣＣＤという）まで被写体の像が導かれるようになっている。また、レンズ鏡胴１７０上方にはファインダ１０５や窓枠にプロテクタ１６０が嵌め込まれている閃光発光窓が配備されている。
【００３３】
このデジタルカメラ１では、デジタルカメラ１内部のＣＣＤでスルー画や撮影画像を表す画像信号が生成される他、ＣＣＤで得られた画像信号に基づいて前述したＴＴＬ測距やさらにＴＴＬ測光も行われて被写体距離や被写体輝度が検出されるようになっている。
【００３４】
本実施形態のデジタルカメラ１００が有する、カメラボディ上面にあるレリーズ釦１０２が半押しと全押しの２つの操作態様を有しているので、半押し時に上記ＴＴＬ測距を行なって合焦位置を検出してフォーカスレンズを合焦位置に配置し、ＴＴＬ測光を行なって絞り１１１２の開口を調節した後、全押し操作に応じてＣＣＤに露光を行なわせるようにしている。
【００３５】
また、本実施形態のデジタルカメラ１００では、なるべく短時間のうちにＴＴＬ測距を完了することができるように概略の測距を行なうための、上記ＣＣＤとは別体の測距センサが内部に配備されている。その測距センサに被写体光を導くための測距窓１４１，１４２がファインダ１０５の両脇に２つ設けられている。さらに一方の測距窓１４１の外側にＡＦ補助光としてＬＤから発光されたレーザ光を被写体に向けて照射するためのレーザ用窓１８０が設けられており、他方の測距窓１４２の外側にＡＦ補助光としてＬＥＤから発光された光を被写体に向けて照射するためのＬＥＤ用窓１９０が設けられている。
【００３６】
図２は、図１のデジタルカメラ１００の内部に配備された信号処理部の構成ブロック図である。
【００３７】
図２を参照してデジタルカメラ１００内にある信号処理部の構成を説明する。
【００３８】
図２はデジタルカメラ１００の内部に配備された信号処理部の構成ブロック図である。
【００３９】
本実施形態のデジタルカメラ１００ではすべての処理がメインＣＰＵ１１０によって制御されていて、このメインＣＰＵ１１０の入力部には図１（ｂ）に示した操作部の各種スイッチ群１０１からの操作信号がそれぞれ供給されている。メインＣＰＵ１１０はＥＥＰＲＯＭ１１０ａを有しており、このＥＥＰＲＯＭ１１０ａの中にはデジタルカメラ１００として動作するために必要なプログラムが書き込まれている。このような構成を持つデジタルカメラの電源スイッチ１０１ａが投入されると、ＥＥＰＲＯＭ１１０ａ内のプログラムの手順にしたがってＣＰＵ１１０によりこのデジタルカメラ全体の動作が制御される。
【００４０】
まず画像信号の流れを、図３を参照して説明する。
【００４１】
スイッチ群１０１の中の電源スイッチ１０１ａ（図１参照）が投入されたら、メインＣＰＵ１１０により電源スイッチ１０１ａが投入されたことが検知され、電源１３０からメインＣＰＵ１１０，測光測距ＣＰＵ１２０などの各ブロックに電力が供給される。電源１３０が投入されたときにスイッチ群１０１の中のモードレバー１０１ｅが撮影側に切り替えられていた場合には、まずＣＣＤ１１０に結像された被写体像が画像信号として所定の間隔ごとに間引かれて出力され、その出力された画像信号に基づく被写体像が画像表示ＬＣＤのＬＣＤパネル１５０上に表示される。このＣＣＤ１１２にはクロックジェネレータ（以下、ＣＧという）１１２１からタイミング信号が供給されており、このタイミング信号によって所定の間隔ごとに、画像信号が間引かれて出力される。このＣＧ１１２１はＣＰＵ１１０からの指示に基づいてタイミング信号を出力しており、そのタイミング信号は、ＣＣＤ１１２の他、後段のＡ／Ｄ部１１３、およびホワイトバランス調整・γ処理部１１４にも供給されている。したがって、ＣＣＤ１１２、Ａ／Ｄ部１１３、ホワイトバランス・γ処理部１１４ではそのタイミング信号に同期して順序良く画像信号の処理が流れるように行なわれる。
【００４２】
このようにＣＰＵ１１０の指示に応じてＣＧ１１２１から出力されるタイミング信号に同期してＡ／Ｄ部１１３でデジタルの画像信号に変換され、またホワイトバランスγ処理部１１４でホワイトバランス調整やγ補正が所定の間隔ごとに行なわれていくときには、それらの画像信号の流れをうまく調整する必要があるので、後段にバッファメモリ１１５を設けて、そのバッファメモリ１１５によって所定の間隔ごとに画像信号をＹＣ処理部１１６に転送していくタイミングを調整している。そのバッファメモリ１１５からは古い時刻に記憶された画像信号から先にＹＣ処理部１１６へ転送される。そのＹＣ処理部１１６に転送された画像信号は、ＹＣ処理部１１６でＲＧＢ信号からＹＣ信号に変換され、その後バス１２１を介してその変換されたＹＣ信号が画像表示ＬＣＤ１５側に供給される。この画像表示ＬＣＤ１５の前段にはＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２を経由して画像表示ＬＣＤ１５に供給される。この供給されたＲＧＢ信号に基づいて画像表示ＬＣＤ１５のＬＣＤパネル１５０上に被写体像の画像表示が行なわれる。前述したＣＧ１１２１から出力されるタイミング信号に同期してＣＣＤ１１２、Ａ／Ｄ部１１３、ＷＢ／γ補正部１１４が動作して、所定の間隔ごとにＣＣＤ１１２で生成された画像信号が処理されている訳であるから、この画像表示ＬＣＤ１５の表示パネル１５０上には撮影レンズが向けられた方向の被写体が被写体像として常に表示され続ける。この表示され続けている被写体像を視認しながら、シャッタチャンスにレリーズ釦１０２が押されると、レリーズ釦１０２の押下タイミングを起点として所定の時間を経た後、ＣＣＤ１１２に結像された画像信号すべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像信号がメモリカード１１９に記録される。この圧縮・伸張部１１７では静止画についてはＪＰＥＧ規格に準拠した圧縮方法で圧縮が行なわれてメモリカード１１９に画像信号が記録される。ヘッダ部には圧縮情報や撮影情報などが書き込まれており、このデジタルカメラ１００のモードレバー１０１ｅが再生側に切り替えられたら、メモリカード１１９からそのファイルのヘッダがまず読み出され、そのヘッダ内の圧縮情報に基づいてファイル内の圧縮画像信号が伸張されて画像信号が元に復元された後、その画像信号に基づく被写体像が画像表示ＬＣＤ１５のＬＣＤパネル１５０上に表示される。
【００４３】
また、この実施形態のデジタルカメラ１００には、メインＣＰＵ１１０の他に焦点調整および露出調整を行なうための測光・測距ＣＰＵ１２０が設けられており、この測光・測距ＣＰＵ１２０によって撮影光学系のフォーカスレンズ１１１０の位置制御や絞り１１１２の切り替え制御が行なわれている。
【００４４】
メインＣＰＵ１１０は、その測光・測距ＣＰＵ１２０にフォーカスレンズ１１１０の位置制御を行なわせるにあたってＴＴＬ測距の測距結果を測光・測距ＣＰＵ１２０へ通知することによって、測光・測距ＣＰＵ１２０にフォーカスレンズ１１１０を合焦位置に駆動させている。また測光値によってはＴＴＬ測距を正確に行なうための補助光発光が必要になる場合もあるため、ＴＴＬ測光の測光結果から補助光発光が必要であると判定したときには測光・測距ＣＰＵ１２０へ補助光発光を行なう必要があるということを通知している。この通知を受けて測光・測距ＣＰＵ１２０はＬＤ発光制御部１８に指示を出してＬＤ発光制御部１８にＬＤ１８１の発光を行なわせるか、あるいはＬＥＤ発光制御部１９に指示を出してＬＥＤ発光制御部に白色ＬＥＤ１９１の発光を行なわせることによりそれらの発光光をＡＦ補助光として被写体に向けて照射させている。この白色ＬＥＤ１９１が本発明にいう、被写体コントラスト検出用に被写体に向けて波長帯域の広い光を照射する第１の補助光発光体にあたり、ＬＤ１８１が、本発明にいう、被写体コントラスト検出用に被写体に向けて波長帯域の狭い光を照射する第２の補助光発光体にあたる。また、メインＣＰＵ１１０による被写体コントラストの検知にあたり、ＡＦセンサ１４と測光・測距ＣＰＵ１２０とからなる外部ＡＦ部により測定された被写体距離に応じて、所定距離よりも近距離の場合に第１の補助光発光体であるＬＥＤ１８１を発光させるＬＥＤ発光制御部１９と、所定距離よりも遠距離の場合に第２の補助光発光体であるＬＤ１８１を発光させるＬＤ発光制御部１８と、それらの制御部１８，１９に発光指示をあたる測光・測距ＣＰＵ１２０が本発明にいう発光制御部にあたる。
【００４５】
なお、本実施形態においては、本発明にいう発光制御部にあたる測光・測距ＣＰＵが、キセノン管１６０を発光させてキセノン管１６０からの発光光を被写体に向けて撮影補助光として照射させるときの制御も行なっている。またＣＧ１１２１と協同してそのキセノン管１６０を発光させるフラッシュ発光部１６の動作タイミングを精度良く制御することができるようにフラッシュ発光タイミング制御部１４０も設けられている。
【００４６】
このようにしておくと、測光・測距ＣＰＵ１２０によってフォーカスレンズ１１１０の駆動とＡＦ補助光を発光するＬＥＤ１９１あるいはＬＤ１８１の発光タイミングが同じ測光・測距ＣＰＵ１２０により精度良く制御されるようになるため、ＡＦ補助光がＡＦサーチ中に効果的に発光されメインＣＰＵ１１０によって被写体コントラストの検出が精度良く行なわれるようになる。
【００４７】
ここで、電源スイッチ１０１ａが投入されモードレバー１０１ｅにより撮影モードが指定され、さらにレリーズ釦１０２が操作されたときにメインＣＰＵ１１０が行なう撮影処理を説明する。
【００４８】
図３は、メインＣＰＵ１１０が行なう撮影処理の手順を示すフローチャートである。
【００４９】
ステップＳ３０１でレリーズ釦１０２の半押し時にＡＥ処理つまりＴＴＬ測光を行ってその結果を測光・測距ＣＰＵ１２０に伝えて測光・測距ＣＰＵ１２０に絞り１１２の開口を変更させる。同じく半押し時に次のステップＳ３０２でＡＦ処理つまりＴＴＬ測距を行なうため、まずは測光・測距ＣＰＵ１２０にフォーカスレンズ１１１０を光軸に沿って移動させるように指示を出してフォーカスレンズ１１１０を駆動させながら、ＣＣＤ１１２で得られる画像信号に基づくコントラストの算出を行なう。そして算出したコントラストが最も大きくなる位置を合焦位置としてその合焦位置を測光・測距ＣＰＵ１２０に通知してフォーカスレンズ１１１０をその合焦位置に移動させる。ここでレリーズ釦１０２が全押しされたら次のステップＳ３０３で測光・測距ＣＰＵ１２０に指示を出してＣＧ１１２１からＣＣＤ１１２へ露光開始信号を供給させて露光を開始させる。露光終了時に露光終了信号をＣＧ１１２１からＣＣＤ１１２へ供給させて、次のステップＳ３０４でＣＣＤ１１２から画像信号をＡ／Ｄ部１１３へと出力させる。ステップＳ３０５で、Ａ／Ｄ部１１３にアナログの画像信号からデジタルの画像信号への変換を行なわせてホワイトバランスγ処理部へ供給させ、ステップＳ３０６でホワイトバランスγ処理部１１４に画像処理を行なわせて画像処理を行なわせた画像信号をバッファ１１５に出力させる。そのバッファ１１５に出力させた画像信号を、タイミングを計ってＹＣ処理部１１６に転送してＹＣ処理部１１６に画像処理を行なわせ、次のステップへ進んでステップＳ３０７で圧縮・伸張部１１７に画像圧縮させた後、ステップＳ３０８でＩ／Ｆ１１８に記録媒体ここではメモリカード１１９への記録を行なわせてこのフローの処理を終了する。
【００５０】
ここで、ステップＳ３０２の処理を詳細に説明する。このステップＳ３０２の処理はメインＣＰＵ１１０で行なわれた測距結果を基に、本発明にいう発光制御部である測光・測距ＣＰＵ１２０によって行なわれるものなので、以降の説明においては測光・測距ＣＰＵ１２０が行なう処理として説明する。
【００５１】
図４は、ステップＳ３０２のＡＦ処理の詳細を示すフローチャートである。
【００５２】
ステップＳ３０２のＡＦ処理が開始されるとこのフローの処理が開始される。
【００５３】
ステップＳ３０２１でまずＡＦセンサ１４に概略の測距を行なわせ、ＡＦセンサ１４の測距結果に基づいて被写体が近距離にいるか遠距離にいるかあるいは測距ＮＧであったかを判定する。
【００５４】
このステップＳ３０２１で近距離に被写体がいると判定したら、近距離側に進みステップＳ３０２２で第１の発光体であるＬＥＤ１８１を選択する。ステップＳ３０２１で遠距離あるいはＮＧであったと判定したら、ステップＳ３０２３へ進み第２の発光体であるＬＤ１９１を選択する。
【００５５】
そうしたら次のステップＳ３０２４へ進みＡＦ補助光の発光をＬＤ制御部１９あるいはＬＥＤ制御部１８に行なわせて、メインＣＰＵ１１０にＣＣＤＡＦつまりＴＴＬＡＦを行なわせて図３のフローの処理に戻る。
【００５６】
このようにすると例えば前述した記念撮影のような撮影シーンの場合には上記第１の補助光発光体であるＬＥＤ１９１からＡＦ補助光が発光される。この第１の発光体であるＬＥＤ１９１から発光される光は波長帯域の広い光であってほぼ白色光であるので、上記記念撮影が行なわれるようなところでＡＦ補助光が照射されたとしても他の撮影者の撮影に影響が及ぼされることがない。
【００５７】
また被写体が所定距離よりも遠距離側にある場合、例えば風景を撮影する撮影シーンなどの場合には、他の撮影者の画角と自分の撮影画角とが重複する可能性が極端に減少すると考えて上記第２の発光体、例えば波長帯域の狭い光であって発光電力の大きなレーザ光を用いて遠くの被写体にまで到達するようにＡＦ補助光を照射するようにすることができる。
【００５８】
図５は、第２の実施形態を説明する図であり、図４のＡＦ処理の別例を示す図である。
【００５９】
図４では外部ＡＦセンサ１４を用いて被写体距離が近距離にあるか、遠距離にあるかに応じてＬＤ１８１、ＬＥＤ１９１のいずれかに切り替えて発光させる場合の例を示した。
【００６０】
これに対し図５では、図３に示すステップＳ３０１でＡＥ処理が行なわれていて既に被写界輝度が検出されていることを利用して、その被写界輝度に応じてＬＥＤ１９１あるいはＬＤ１８１を切り替えるように改良している。本実施形態では、被写体コントラストの検知にあたり、測光・測距ＣＰＵ１２０が、ＴＴＬ測光により測定された被写体輝度に応じて所定輝度よりも高輝度の場合に第１の補助光発光体であるＬＥＤ１９１を発光させその所定輝度よりも低輝度の場合に第２の補助光発光体であるＬＤ１８１を発光させている。ただし、所定輝度を遥かに超えてＡＦ補助光の発光を必要としないぐらい明るい場合もあるので、その場合をフロー中には高輝度と記載し、本発明にいうところの所定輝度よりも高輝度の場合を中輝度と記載してある。
【００６１】
ステップＳ３０２１で図３のフローチャート中のステップＳ３０１のＡＥ処理により得られた被写界輝度を判別して補助光の発光を必要としないぐらいの高輝度であると判定したら、補助光の発光が必要ないので、ステップＳ３０２５へジャンプしてＣＣＤＡＦつまりＴＴＬ測距を行なってこのフローの処理を終了して図３のフローの処理へ戻る。
【００６２】
ステップＳ３０２１で、所定輝度以上であって補助光発光が必要である中輝度以上であると判定したら、中輝度側へ進み、ステップＳ３０２２でＬＥＤ１９１を選択する。またステップＳ３０２１で所定輝度よりも低く、低輝度であると判定したらステップＳ３０２３へ進みＬＤ１８１を選択する。
【００６３】
ステップＳ３０２４へ進んだらＬＤ発光制御部１８にＬＤ１８１の発光を行なわせるか、あるいはＬＥＤ発光制御部１９にＬＥＤ１９１の発光を行なわせて次のステップＳ３０２５へ進む。ステップＳ３０２５でメインＣＰＵ１１０にＣＣＤＡＦつまりＴＴＬＡＦを行なわせてこのフローの処理を終了して図３のフローの処理へ戻る。
【００６４】
このようにすると、昼間屋外で記念撮影などを行なう撮影シーンや昼間相対的に明るい室内灯が点灯している屋内で記念撮影が行なわれる撮影シーンなどにおいては白色のＬＥＤ光が用いられＡＦ補助光が被写体に向けて照射されるので他の人の撮影に影響を与えるようなことがなくなる。
【００６５】
また、被写界輝度が暗い場合には比較的夜景など遠くの風景を撮影することが多いので、そのような場合には有色ではあるが本発明にいう第２の発光体である高出力のレーザ光を用いてＡＦ補助光の照射が行なえる。
【００６６】
図６は、第３実施形態を説明する図である。
【００６７】
図６に示すデジタルカメラ１００Ａの構成は、第１の補助光発光体であるＬＥＤ１９１によるＡＦ補助光の照射モードと第２の補助光発光体であるＬＤ１８１によるＡＦ補助光の照射モードとを切り替えるためのユーザ操作子１０１ｆがカメラボディ背面に設けられている以外、図１の構成と全く同じ構成である。また図６に示すデジタルカメラ内部の信号処理部の構成もそのユーザ操作子からの操作子がメインＣＰＵ１１０に供給されている部分を除き図２の構成と全く同じである。
【００６８】
図６に示すデジタルカメラ１００Ａでは、メインＣＰＵ１１０（図２参照）が被写体コントラストを検知するにあたってユーザ操作子による切替え状態に応じて、本発明にいう発光制御部にあたる測光・測距ＣＰＵ１２０（図２参照）が第１の補助光発光体であるＬＥＤ１９１（図２参照）あるいは第２の補助光発光体であるＬＤ１８１（図２参照）を発光させるように改良している。
【００６９】
図７は、測光・測距ＣＰＵ１２０（図２参照）が行なう補助光発光処理の手順を示すフローチャートである。
【００７０】
ステップ３０２１でユーザ操作子１０１ｆの切替位置を判定する。このステップＳ３０２１でＬＥＤ側にユーザ操作子１０１ｆが切り替えられていると判定したらＬＥＤ側へ進んで第１の発光体であるＬＥＤ１９１を選択し、ＬＤ側にユーザ操作子１０１ｆが切り替えられていると判定したらＬＤ側へ進み第２の発光体であるＬＤ１８１を選択する。
【００７１】
次のステップＳ３０２４へ進んでステップＳ３０２４でＡＦ補助光の発光をＬＤ制御部あるいはＬＥＤ制御部に行なわせて、ステップＳ３０２５でメインＣＰＵにＣＣＤＡＦつまりＴＴＬＡＦを行なわせて図３のフローの処理に戻る。
【００７２】
このようにユーザ操作子１０１ｆを設けておいて、そのユーザ操作子１０１ｆにより第１の発光体、第２の発光体のいずれかをユーザに選択してもらうようにしておくと、撮影シーンに応じてユーザ操作によりＬＤ１８１あるいはＬＥＤ１９１のうちのいずれかの発光体が選択される。
【００７３】
このようにすることで、撮影シーンに応じて補助光発光体としてＬＥＤ１９１とＬＤ１８１のどちらを用いた方が好ましいかをユーザ判断に委ねて、ユーザ判断の基、撮影シーンに応じたＡＦ補助光を発光させて撮影が行なえるようになる。
【００７４】
図８は、第４実施形態を説明する図である。
【００７５】
図８に示すデジタルカメラ１００Ｂの構成は、ピント調整用の画像信号生成のための一回あたりのシャッタ時間が相対的に長い通常ＡＦモードとシャッタ時間が相対的に短い高速ＡＦモードとを切り替えるためのユーザ操作子１０１ｇがカメラボディ背面に設けられている以外、図１の構成と全く同じ構成である。また図８に示すデジタルカメラ内部の信号処理部の構成もそのユーザ操作子１０１ｇからの操作信号がメインＣＰＵ１１０に供給されている部分を除き図２の構成と全く同じである。
【００７６】
図８に示すデジタルカメラ１００Ｂでは、メインＣＰＵ１１０が被写体コントラストを検知するにあたってユーザ操作子の切替状態に応じて、本発明にいう発光制御部にあたる測光・測距ＣＰＵ１２０（図２参照）が第１の補助光発光体であるＬＥＤ１９１（図２参照）、あるいは第２の補助光発光体であるＬＤ１８１（図２参照）を発光させるようにしている。
【００７７】
上記通常モードである場合には、ピント調整用の画像信号生成のための一回あたりのシャッタ時間が相対的に長いので相対的に発光電力の小さなＬＥＤを用い、一回あたりのシャッタ時間が相対的に短い高速モードである場合には、ピント調整用の画像信号を生成するための光量が短時間のうちに必要になるので高出力のＬＤを用いるようにしている。
【００７８】
図９は、図８に示すデジタルカメラ内部に配備されている測光・測距ＣＰＵが行なう補助光発光処理の手順を示すフローチャートである。
【００７９】
ステップＳ３０２１でモードユーザ操作子１０１ｇの切替位置を判定する。このステップＳ３０２１で通常モード側にモードユーザ操作子１０１ｇが切り替えられていると判定したらＬＥＤ側へ進んでステップＳ３０２２でＬＥＤを選択し、高速モード側にユーザ操作子が切り替えられていると判定したらＬＤ側へ進んでステップＳ３０２３でＬＤを選択する。
【００８０】
次のステップＳ３０２４へ進んでＡＦ補助光の発光をＬＤ制御部１８あるいはＬＥＤ制御部１９に行なわせて、メインＣＰＵ１１０にＣＣＤＡＦつまりＴＴＬＡＦを行なわせて図３のフローの処理に戻る。
【００８１】
このようにユーザ操作子１０１ｇを設けておいて、そのユーザ操作子１０１ｇにより選択される通常モード、高速モードにおけるＡＦ補助光の種類をユーザに予め通知しておいて撮影シーンに応じてユーザにこのユーザ操作子を切り替えてもらうようにしておいても良い。
【００８２】
そうすると、撮影シーンに応じて高速モードと通常モードのうちのどちらを用いた方が好ましいかがユーザにより判断され撮影シーンに応じてＬＤとＬＥＤのいずれかがユーザ操作子により選択され撮影が行なわれるようになる。
【００８３】
以上説明したように、撮影シーンに応じてレーザ光とＬＥＤ光とを使い分けることができる撮影装置が実現される。
【図面の簡単な説明】
【００８４】
【図１】本発明の撮影装置の第１実施形態であるデジタルカメラを示す図である。
【図２】図１のデジタルカメラ１００の内部に配備された信号処理部の構成ブロック図である。
【図３】メインＣＰＵ１１０が行なう撮影処理の手順を示すフローチャートである。
【図４】ステップＳ３０２のＡＦ処理の詳細を示すフローチャートである。
【図５】第２の実施形態を説明する図であり、図４のＡＦ処理の別例を示す図である。
【図６】第３実施形態を説明する図である。
【図７】測光・測距ＣＰＵが行なう補助光発光処理の手順を示すフローチャートである。
【図８】第４実施形態を説明する図である。
【図９】測光・測距ＣＰＵが行なう補助光発光処理の手順を示すフローチャートである。
【符号の説明】
【００８５】
１００  １００Ａ  １００Ｂ  デジタルカメラ
１０１ｆ    ユーザ操作子
１０１ｇ    ユーザ操作子
１０２        レリーズ釦
１０５      ファインダ
１４      ＡＦセンサ
１４１  １４２    測距窓
１６    フラッシュ発光部
１６０    キセノン管
１７０    レンズ鏡胴
１８      ＬＤ発光制御部
１８０    発光窓
１８１    ＬＤ
１９    ＬＥＤ発光制御部
１９０    発光窓
１９１    ＬＥＤ
【図１】
2006171120.tif 000003
【図２】
2006171120.tif 000004
【図３】
2006171120.tif 000005
【図４】
2006171120.tif 000006
【図５】
2006171120.tif 000007
【図６】
2006171120.tif 000008
【図７】
2006171120.tif 000009
【図８】
2006171120.tif 000010
【図９】
2006171120.tif 000011